(57)【要約】【課題】アンカーボルトのネジだけでケーブルやネットを法面に強力に把持して固定することができるケーブル類の固定具を提供する。【解決手段】中央に貫通孔１１ａを有する上プレート１１と、上記貫通孔１１ａと重なり合う貫通孔１２ａを中央に有する下プレート１２とを有し、上プレートに直交する溝１１ｄ，１１ｅを形成し、下プレート１２にはこれらと逆向きに直交する溝１２ｂ，１２ｃを形成した。下プレート１２をアンカーボルト１に差し込み、ケーブル３，３’を交差させて載せ、上プレート１１で挟む。その上からナット４を締め付けて固定する。ケーブル３，３’は溝に入っているので、上下のプレート１１，１２の間から外れることなく、強力に保持される。【選択図】　　　　図３
2004107997.tif 000002
【特許請求の範囲】
【請求項１】
中央に貫通孔を有する上プレートと、上記貫通孔と重なり合う貫通孔を中央に有する下プレートとを有し、上下のプレートの相互に重なり合う面の少なくとも一方に、ケーブル類を挟む溝を形成したことを特徴とするケーブル類の固定具。
【請求項２】
中央に貫通孔を有する上プレートと、上記貫通孔と重なり合う貫通孔を中央に有する下プレートとを有し、上下のプレートの相互に重なり合う面の少なくとも一方に、他方の面との間にケーブル類を挟むリブを形成したことを特徴とするケーブル類の固定具。
【請求項３】
上記上下のプレートが共に円形であり、上プレートが中央に隆起部を有し、該隆起部の内側に空洞が形成されたことを特徴とする請求項１又は２記載のケーブル類の固定具。
【発明の詳細な説明】
【０００１】
【発明が属する技術分野】
本発明は、法面を保護するケーブルやネットを固定するケーブル類の固定具に関する。
【０００２】
【従来の技術】
山林や高台を切り崩して道路や住宅地等の平坦地を造成する場合、平坦な土地と山林や高台との間に傾斜面（法面）ができる。この法面は、地肌が露出したままだと崩落などの危険性があるので、適当な方法で保護・補強されることが必要になる。
【０００３】
従来の法面の保護工法としては、地山にアンカーボルトを打ち込み、法面にネットを敷設した後、法面に型枠を設置し鉄筋を配置してモルタルまたはコンクリートを吹き付け施工して格子状の鉄筋モルタル（またはコンクリート）構造体を構築する工法、所謂「吹き付け法枠工法」がある。また、法面の形状に沿って間知石などの石材やコンクリ−トブロック（ブロック）を積んだり、法面にネットや鉄筋を配置することなく直接モルタルを吹き付ける工法も従来から広く採用されている。
【０００４】
また、法面の高さが高く、しかも安全な勾配が確保できない場合には、法面全体を一度に切り出すことをせずに、数回に分けて上から順番に切り出すことになる。そのような場合、上記のモルタルやコンクリートを用いる工法では、コンクリートが固まるまでの養生に１，２日要するので、法面全体を終了するまでかなりの日数がかかる。
【０００５】
また、従来の吹き付け法枠工法においては、型枠の設置、鉄筋の配置などを凹凸の多い法面に沿って柔軟に行うことは難しく、構築される法枠と法面との密着性が不十分になる。
【０００６】
さらに、最近になって、コンクリートによる環境の破壊が問題となってきた。すなわち、法面をコンクリート等で固めると、草木が生えなくなり、環境が破壊されることになる。また、景観も損なわれる。そこで、法面をネットとケーブルで覆いコンクリートを打設しないで保護する工法も検討されている。年月の経過によって、草木が繁茂し、法面が自然な状態で保護されることになる。
【０００７】
この場合、ネットやケーブルを法面に強力に保持する必要があるが、一般に、法面を保護するネットやケーブルを固定するものとしては、特開平９−３０２６６７号（特許文献１）に記載されたものが知られている。ここでは、法面を石材で保護するが、この石材壁の所々にアンカーボルトを打ち込み、これらのアンカーボルトに２枚のワッシャと２つのナットを挿通しておく。そして、ネットやケーブルは、挿通された２枚のワッシャの間に挟み、その上下からナットで締め付けて固定する方法が提案されている。
【０００８】
【特許文献１】
特開平９−３０２６６７号　図３、段落００３４
【０００９】
【発明が解決しようとする課題】
しかしながら、上記のネットやケーブルの固定が、アンカーボルトに挿通された２枚のワッシャによるものなので、締付力が不足し、ネットやケーブルが外れ易い。そして１個所で外れると周辺の固定部分が連鎖的に外れ、法面全体が崩れる可能性が生じるという問題があった。
【００１０】
また、ワッシャに代えて長方形のプレートを用いる方法もある。これは、プレートの中央付近にケーブル類を挟み、ケーブル類の両側をボルトとナットで締め付ける方法である。この場合、１方のボルトはアンカーボルトを使用するとしても、他にもう１本のボルトが必要となり、締付時間が掛かる。
【００１１】
本発明は、この問題の解決を図ったもので、アンカーボルトのネジだけでケーブルやネットを法面に強力に把持して固定することができるケーブル類の固定具を提供することを目的としている。
【００１２】
【課題を解決するための手段】
上記の目的を達成するために本発明のケーブル類の固定具は、中央に貫通孔を有する上プレートと、上記貫通孔と重なり合う貫通孔を中央に有する下プレートとを有し、上下のプレートの相互に重なり合う面の少なくとも一方に、ケーブル類を挟む溝を形成したことを特徴としている。
【００１３】
又は、中央に貫通孔を有する上プレートと、上記貫通孔と重なり合う貫通孔を中央に有する下プレートとを有し、上下のプレートの相互に重なり合う面の少なくとも一方に、他方の面との間にケーブル類を挟むリブを形成したことを特徴としている。
【００１４】
上記上下のプレートが共に円形であり、上プレートが中央に隆起部を有する構成とすることができる。また、上プレートの貫通孔の周辺に半球状に盛り上がった隆起部を形成して皿ばねとして作用させたり、上下のプレートの周縁部に傾斜を設けてもよい。
【００１５】
下プレートの貫通孔にアンカーボルトを差し込み、下プレートの上にケーブルを載せ、上から上プレートを挿通して挟む。そして、上プレートの上からアンカーボルトにナットを螺合して締め付けて固定する。ケーブルは溝に入っているので、上下のプレートの間から外れることなく、強力に保持される。あるいは、リブによってケーブルは強力に保持される。法面は、ネットとケーブルのみで保護できるので、コンクリートやモルタルの打設を不要にすることができ、法面工事の簡略化を図ることができる。
【００１６】
【発明の実施の形態】
以下に本発明の実施例を図面によって説明する。
図１は、本発明におけるケーブル類の固定具の第１実施例を示す分解斜視図である。図２（ａ）は図１のＡ−Ａ断面図、（ｂ）は図１のＢから視た図、（ｃ）は図１のＣ−Ｃ断面図である。
【００１７】
これらの図に示すように、本発明のケーブル類の固定具１０は、上プレート１１と下プレート１２とから構成される。上プレート１１は鋼鉄の鍛造品で、円形の板状で、中央にアンカーボルトを挿通する貫通孔１１ａを有する。貫通孔１１ａの周辺は、半球状に盛り上がった隆起部１１ｂとなっている。隆起部１１ｂの内側は、空洞１１ｃである。上プレートには、２本の溝１１ｄ，１１ｅが所定の角度（例えば直角）になるように形成されている。溝１１ｄ，１１ｅの部分は、上プレート１１の上面に半円筒形状に隆起した状態となっている。また、これらの溝１１ｄ，１１ｅは、貫通孔１１ａを避けて交差するように配置されている。
【００１８】
下プレート１２は、上プレート１１と同じ素材を用いた鍛造品で、円板状で中央に貫通孔１２ａが穿設され、この貫通孔１２ａを避けるように２本の溝１２ｂ，１２ｃが所定の角度（例えば直角）に形成されている。各溝１２ｂ，１２ｃは、下プレート１２の下面に半円筒形状に隆起している。上下のプレート１１，１２を重ねたとき、上プレート１１の２本の溝１１ｄ，１１ｅと、下プレート１２の２本の溝１２ｂ，１２ｃとが重なり、ここにケーブルやネットを挟めるようになっている。
【００１９】
図３によって上記ケーブル類の固定具１０の使用方法を説明する。
まず、対象となる法面５上に適当な方法により所定の間隔で複数のアンカーボルト１を固定し、ネット２を張る。法面５上はネット２で覆われているが、各アンカーボルト１は、ネット２の目を通過して突出している。アンカーボルト１は、異形鋼棒製で、先端にダイス等で雄ねじ１ａが刻設されたものである。
【００２０】
ネット２の上に補強用のケーブル３，３’を張るが、ケーブル３，３’を各アンカーボルト１のところで交互に向きを変えるようにジグザグに張る。ケーブル３とケーブル３’の曲げ方向を逆方向にし、図３に示すようケーブル３，３’の各交差部を捻り合わせる。こうすることによって、全体として目の粗いネットができることになる。ただし、捻り合わせずに一方のケーブルと他方のケーブルの角を重ね合わせるだけでもよい。ケーブルの固定具１０は、下プレートの溝１２ｂ，１２ｃがケーブル３に沿って直交し、上プレートの溝１１ｄ，１１ｅがケーブル３’に沿って直交している。この実施例では溝の角度を直角としたが、直角以外の角度にしてもよい。
【００２１】
下プレート１２の貫通孔１２ａにアンカーボルト１を挿通し、下プレート１２をネット２の上に載せる。ケーブル３，３’の交差部にアンカーボルト１を挿通し、ケーブル３，３’を下プレート１２の上に載せる。溝１２ｂ，１２ｃの径又は深さをケーブル３の径より小さくしておき、ケーブル３が溝１２ｂ，１２ｃの外側に突出するようにする。
【００２２】
次に上プレート１１の貫通孔１１ａにアンカーボルト１を挿通して下プレート１２に重ね、上プレート１１の溝１１ｄ，１１ｅとケーブル３’とが重なるようにする。溝１１ｄ，１１ｅの径又は深さはケーブル３’の径より小さく、ケーブル３’は溝の外側に突出している。
【００２３】
アンカーボルト１には、ケーブル３のテンションと、ケーブル３’のテンションの双方が加わるが、これらの向きは相互に反対方向なので、ほぼ相殺されることになる。
【００２４】
上下のプレート１１，１２が重なったとき、上下のプレート１１，１２間にはケーブル３，３’を挟んでいるが、ケーブル３，３’は溝の外に突出していることから、上下のプレート１１，１２の間には、かなり大きな隙間ができるようになっている。
【００２５】
アンカーボルト１の雄ねじ１ａは、上プレート１１の中央の貫通孔１１ａから上方に突出しているので、この先端からナット４を螺合する。そして、ナット４を強く締め付けると、上下のプレート１１，１２はネット２を法面５に押しつけ、さらにケーブル３を強い力で締め付け、固定する。
【００２６】
締め付け力は、各溝１１ｄ，１１ｅ，１２ｂ，１２ｃに伝わり、ケーブル３，３’は相手側のプレートとの間に強力に押さえつけられる。これによって１つのナット４でケーブル３，３’をアンカーボルト１に強力に固定することができる。また、ケーブル３，３’の角をアンカーボルト１に掛けてケーブル３，３’に加わるテンションをアンカーボルト１が受けるので、この後ケーブル３，３’に種々の力が加わっても、ケーブル３，３’が上下のプレート１１，１２の間から抜け出ることはない。
【００２７】
なお、ケーブル３，３’の交差部は、上下のプレート１１，１２の中心部にできるが、交差部ではケーブル３とケーブル３’とが重なるので厚くなる。そのため上プレート１１の中央に隆起部１１ｂを形成し、空洞１１ｃ内にケーブル３，３’の交差部を収容できるようにしている。また、ケーブル３，３’を挟む力は、上下のプレート１１，１２の中心から外れた外周に近いところに加わる方が望ましい。この点、溝１１ｄ，１１ｅ，１２ｂ，１２ｃは、空洞１１ｃがあるので上下のプレートの中央部分ではケーブル３，３’を押さえることができず、上下のプレート１１，１２の周辺部で押さえるようになっている。また、隆起部１１ｂが皿ばねのように弾性を有するようにすれば、締付力をさらに増加することができ、ねじの弛み防止にもなる。
【００２８】
図４は、本発明におけるケーブル類の固定具の第２実施例を示す分解斜視図である。この実施例に示すケーブル類の固定具２０は、ケーブル類の交差部での使用に適している。このケーブル類の固定具２０は、第１実施例と同様に上プレート２１と下プレート２２とから構成される。図５（ａ）は上プレート２１の下面図、（ｂ）は図４のＤ−Ｄ断面図、（ｃ）は（ａ）のＥ−Ｅ断面図、（ｄ）は（ａ）のＦ−Ｆ断面図である。
【００２９】
上プレート２１は、第１実施例と同様に、中央に貫通孔２１ａを有し、その周辺に半球状の隆起部２１ｂを有する。この隆起部２１ｂの内側は、第１実施例と同様に空洞２１ｃとなっている。上プレート２１は、４個所に隆起した部分を有し、この隆起した裏側が溝２１ｄ，２１ｅ，２１ｆ，２１ｇとなっている。４本の溝２１ｄ，２１ｅ，２１ｆ，２１ｇは、図５（ａ）に示すように、溝２１ｄと２１ｇとが所定の角度（例えば直角）で、溝２１ｅと２１ｆとが同じく所定の角度（例えば直角）になるように形成されている。そして、ケーブル３，３’は点線に示すように配索され、中央に貫通孔２１ａが配置される。上プレート２１の周縁部２１ｈは、図５（ｂ），（ｃ）に示すように、角θの傾斜面となっている。
【００３０】
下プレート２２は、鋼板などの金属板を皿状に鍛造した形状で、中央に貫通孔２２ａがあり、その周辺に円錐状の傾斜面２２ｂがあり、その外側に周縁部２２ｃが形成されている。周縁部２２ｃは、上プレート２１の周縁部２１ｈと同じ角θの傾斜面となっている。
【００３１】
図６は、第２実施例の使用例を示す図である。下プレート２２は、貫通孔２２ａにアンカーボルト１を挿通して図示しない法面に覆われたネットの上に載せられる。下プレート２２を貫通したアンカーボルト１に、２本のケーブル３，３’が図示のように掛けられる。これによって、アンカーボルト１がケーブル３，３’に加わるテンションを受けることができるようになる。次に、ワッシャ２３をアンカーボルト１に挿通し、ナット２５を螺合する。ナット２５を締め付けると、ケーブル３，３’は、下プレート２２とワッシャ２３との間で仮止めされる。
【００３２】
この上から上プレート２１を挿通し、各溝２１ｄ，２１ｅ，２１ｆ，２１ｇにケーブル３，３’が入るようにする。ワッシャ２３とナット２５とは、上プレート２１の空洞２１ｃと下プレート２２の傾斜面２２ｂとで作る空間内に収容される。溝２１ｄ，２１ｅ，２１ｆ，２１ｇの深さがケーブル３，３’の直径より浅いので、ナット４を締め付けない状態では、上下のプレート２１，２２の間には、かなりの隙間がある。ナット４で締め付けることでこの隙間が狭くなり、ケーブル３，３’は上下のプレート２１，２２間に挟まれる。このとき、ケーブル３，３’は、上下のプレート２１，２２の周縁部２１ｈ，２２ｃに挟まれるので、角θにより曲げられる。このように角θを設けると、隣のアンカーボルト１との間のケーブル３，３’を上に凸の円弧状に配索することができ、ケーブル３，３’に加わるテンションから、ケーブル３，３’で地山を垂直に押さえる分力を生じさせることが可能となる。
【００３３】
なお、上下のプレート２１，２２の周縁部２１ｈ，２２ｃに勾配を付けることによって、アンカーボルト１の周辺が平坦でない場合にも、周辺の地面に合わせたケーブル３，３’の配索が可能となる。その点から言えば、図５の実施例のように周縁部２１ｈ，２２ｃに同じ角度の勾配を付けるのに限定されず、相互に反対向きの勾配をつけてもよい。また、図５の実施例では、取付位置が窪んでいる場合に適しているが、取付位置が逆に周辺から突出している場合には、上下のプレート２１，２２を反対にして使用することができる。
【００３４】
図７は、本発明の第３実施例を示す分解斜視図である。このケーブル類の固定具３０も上記の第１、第２実施例と同様に上プレート３１と下プレート３２とから構成される。図８（ａ）は、上プレート３１の中央断面図、（ｂ）は下プレート３２の中央断面図である。
【００３５】
上プレート３１は、第１、第２実施例と同様に、中央に貫通孔３１ａを有し、その周辺に半球状の隆起部３１ｂを有する。この隆起部３１ｂの内側は、第１実施例と同様の空洞３１ｃである。隆起部３１ｂの外側に、円形の周縁部３１ｄが形成されている。
【００３６】
下プレート３２は、中央に貫通孔３２ａを有し、周縁部に環状のリブ３２ｂが形成されている。上下のプレート３１，３２を重ねると、環状のリブ３２ｂは、上プレート３１の周縁部３１ｄに当接するようになっている。
【００３７】
この第３実施例のケーブル類の固定具３０は、特に限定された用途はなく、どのような個所にも使用できる万能型である。下プレート３２上に図６と同様にケーブル３，３’を載せ、上プレート３１で挟むと、リブ３２ｂの先端と上プレート３１の周縁部３１ｄとの間にケーブル３，３’を挟む。この後、ナット４で締め付けることでケーブル３，３’は上下のプレート３１，３２間に強く保持され、外れなくなる。リブ３２ｂはケーブル３，３’が通過するところにあればよいので、環状に限定されるものではない。また、実施例のリブ３２ｂは細いが、リブ３２ｂの外側の周縁部・と同じ幅を有するものとして形成してもよい。
【００３８】
以上の実施例では、上下のプレートの間にケーブル３，３’を挟むのを例として説明したが、ケーブル３，３’に代えてネット２を挟むとか、ケーブル３，３’とネット２の双方を挟むことができる。このような理由から、本発明の固定具は、ケーブル類の固定具としているのである。
【００３９】
また、これらの実施例では、ネットやケーブルだけで法面を保護することを説明したが、ネットやケーブルで覆った後、コンクリートやモルタルを打設してこれらを埋設することにしてもよい。
【００４０】
さらに、法面に適当な方法で植生基盤の層を形成し、これをネットとケーブルで保護する場合に、ネットやケーブルを法面に固定するものとして使用することもできる。ただし、この場合、下プレートで植生基盤を押さえつけないようにしなければならない。そのためには、アンカーボルトの方に、予めナットとワッシャを入れておき、このワッシャの上に下プレートを載せ、ワッシャの下にあるナットで下プレートの下限位置を調整するようにするとよい。
【００４１】
上記の実施例では、上下のプレートを鋼鉄製で鍛造によって形成することとしたが、使用条件によっては、強化プラスチックなど他の素材を用いることも可能である。プラスチック製とすれば、成型が容易になり、安価に製造できることになる。
【００４２】
【発明の効果】
以上に説明したように本発明のケーブル類の固定具は、中央に貫通孔を有する上プレートと、上記貫通孔と重なり合う貫通孔を中央に有する下プレートとを有し、上下のプレートの相互に重なり合う面の少なくとも一方に、ケーブル類を挟む溝を形成した構成なので、中央の貫通孔にアンカーボルトを通し、上下のプレートの間にケーブル又はネットを挟み、ナットで締め付けることでケーブル類を強力に保持することができる。したがって、法面をネットとケーブルだけで保護することができ、コンクリートやモルタルの打設を省略することができる。コンクリートやモルタルを使用しないので、自然破壊の少ない法面保護工法となる。また、工事期間を大幅に短縮することもできる。
【００４３】
溝の代わりにリブを形成することで、溝による制限を受けることなく多様な状況において使用することができる。
【図面の簡単な説明】
【図１】本発明におけるケーブル類の固定具の第１実施例を示す分解斜視図である。
【図２】（ａ）は図１のＡ−Ａ断面図、（ｂ）は図１のＢから視た図、（ｃ）は図１のＣ−Ｃ断面図である。
【図３】本発明の第１実施例に示すケーブル類の固定具の使用方法を説明する図である。
【図４】本発明におけるケーブル類の固定具の第２実施例を示す分解斜視図である。
【図５】（ａ）は上プレートの下面図、（ｂ）は図４のＤ−Ｄ断面図、（ｃ）は（ａ）のＥ−Ｅ断面図、（ｄ）は（ａ）のＦ−Ｆ断面図である。
【図６】本発明の第２実施例に示すケーブル類の固定具の使用方法を説明する図である。
【図７】本発明の第３実施例を示す分解斜視図である。
【図８】（ａ）は、上プレートの中央断面図、（ｂ）は下プレートの中央断面図である。
【符号の説明】
１１，２１，３１　　上プレート
１２，２２，３２　　下プレート
１１ａ，２１ａ，３１ａ　貫通孔（上プレート）
１２ａ，２２ａ，３２ａ　貫通孔（下プレート）
１１ｄ，１１ｅ　　溝
１２ｂ，１２ｃ　　溝
２１ｄ，２１ｅ，２１ｆ，２１ｇ　　溝
３１ｄ　　周縁部
３２ｂ　　リブ
【図１】
2004107997.tif 000003
【図２】
2004107997.tif 000004
【図３】
2004107997.tif 000005
【図４】
2004107997.tif 000006
【図５】
2004107997.tif 000007
【図６】
2004107997.tif 000008
【図７】
2004107997.tif 000009
【図８】
2004107997.tif 000010